(57)【特許請求の範囲】
【請求項１】
飲料が収容される容器本体と、
この容器本体に収容された飲料を飲むための飲み口部と、
この飲み口を配置するためのベース部と、を有する飲料容器において、
前記飲み口部のうち、使用者の唇が当接する部分は、比較的柔らかい部材で形成されている柔軟部で成ると共に、この飲み口部のうち飲料が搬送される部分は、比較的硬い部材である剛性部で形成され、
前記飲み口部は、前記ベース部に形成された穴部に差し込まれて配置され、
前記飲み口部の前記柔軟部には、この飲み口部が、前記容器本体方向に抜け落ちるのを防止するための突起部が設けられ、
前記穴部の下部には、前記柔軟部に沿うように穴部突起部が形成され、
前記ベース部には、前記飲み口部を覆うための蓋部が設けられており、この蓋部に対して、この飲み口部の先端部が当接する構成と成っていることを特徴とする乳幼児用飲料容器。
【請求項２】
前記飲み口部には、前記容器本体内に収容されている飲料をこの飲み口部まで搬送するための搬送手段を接続するための接続部が設けられていることを特徴とする請求項１に記載の乳幼児用飲料容器。
【請求項３】
前記接続部が、前記飲み口部の前記剛性部に対して設けられていることを特徴とする請求項２に記載の乳幼児用飲料容器。
【請求項４】
前記柔軟部の硬さがＪＩＳＫ６２５３加硫ゴム及び熱可塑性ゴムの硬さ試験方法におけるスプリング式（デュロメータ硬さ）で、０度乃至７０度未満であり、前記剛性部の硬さがＪＩＳＫ６２５３加硫ゴム及び熱可塑性ゴムの硬さ試験方法におけるスプリング式（デュロメータ硬さ）で、７０度乃至１００度であることを特徴とする請求項１乃至請求項３のいずれかに記載の乳幼児用飲料容器。
【請求項５】
前記柔軟部がシリコン又はエラストマーより成り、前記剛性部がポリプロピレン又はポリエチレンにより成ることを特徴とする請求項１乃至請求項４のいずれかに記載の乳幼児用飲料容器。
【請求項６】
前記飲み口部の前記柔軟部には、この飲み口部の前記ベース部からの突出量を規制する規制部が設けられていることを特徴とする請求項１乃至請求項５のいずれかに記載の乳幼児用飲料容器。
【請求項７】
前記飲み口部の前記柔軟部の断面形状が、略楕円形であることを特徴とする請求項１乃至請求項６のいずれかに記載の乳幼児用飲料容器。
【請求項８】
前記柔軟部と前記剛性部とが、相互に分離可能に形成されていることを特徴とする請求項１乃至請求項７のいずれかに記載の乳幼児用飲料容器。
【請求項９】
前記柔軟部には、前記剛性部の位置決めをする位置決め部が設けられていることを特徴とする請求項８に記載の乳幼児用飲料容器。
【請求項１０】
前記剛性部のみを前記ベース部に固定するための調整手段を有することを特徴とする請求項８に記載の乳幼児用飲料容器。
【請求項１１】
前記剛性部には、前記調整手段と当接することによって、この剛性部の前記ベース部からの突出量を規制するための規制部が設けられていることを特徴とする請求項１０に記載の乳幼児用飲料容器。
【請求項１２】
前記ベース部には、前記剛性部を覆うための蓋部が設けられており、この蓋部に対して、この剛性部の先端部が当接する構成となっていることを特徴とする請求項１１に記載の乳幼児用飲料容器。
【請求項１３】
前記飲み口部のうち前記剛性部は、前記飲料容器内に収容された飲料を、この剛性部に搬送するための搬送手段と一体的に形成されていることを特徴とする請求項１に記載の乳幼児用飲料容器。
【請求項１４】
前記剛性部と前記搬送手段が、１本のストローにより形成されていることを特徴とする請求項１３に記載の乳幼児用飲料容器。
【発明の詳細な説明】
【０００１】
【発明の属する技術分野】
本発明は、例えば、乳幼児等が飲む口部を用いて飲料を飲む練習をするための乳幼児用飲料容器に関するものである。
【０００２】
【従来の技術】
従来の飲料容器は、例えば図１０に示すように構成されている。すなわち飲料容器１０は、飲料である例えばジュース類を収容する容器本体１１と、この容器本体１１の側面に形成され、使用者である乳幼児が把持するための取っ手１２とを有している。また、この容器本体１１の上部には、蓋の役割を果たすベース部１３が載置され、このベース部１３には、飲み口１４が設けられている。
この飲み口１４は、容器本体１１内に収容されているジュース類と接触している図示しないストローと接続している。このため、図１０に示すように、使用者である乳幼児が、この飲み口１４をくわえて、吸い込むと、容器本体１１内のジュース類を飲むことができるようになっている。
このように、飲料容器１０は、母親の母乳又は人工乳を未だ飲んでいる乳幼児等が飲み口１４を使って飲料を飲むことができるようになるための練習をするために用いられるものである。
【０００３】
【発明が解決しようとする課題】
ところで、このような飲料容器１０を使用する乳幼児は、それ以前に、比較的柔らかいゴム等からなる哺乳瓶等でミルク等を飲んでいたため、比較的硬い材質のプラスチックにより形成されている飲み口１４をくわえると、その感触の著しい違いを感じることになる。そして、この感触の違いにより、飲料容器１０の使用を嫌がるという問題があった。
一方、飲料容器１０の飲み口１４を、比較的柔らかいゴム等で形成すると、乳幼児にとっては、哺乳瓶等の乳首と同じ感触であるため、飲み口１４をくわえるのを嫌がることはないが、乳幼児が唇を閉じようとする力によって、飲み口１４が潰れてしまい、乳幼児が飲料を飲むことができなくなってしまうという問題があった。
【０００４】
本発明は、以上の点に鑑み、使用者が心地良く、くわえることができると共に使用者の口唇によって潰れることがない飲み口部を有する乳幼児用飲料容器を提供することを目的とする。
【０００５】
【課題を解決するための手段】
前記目的は、請求項１の発明によれば、飲料が収容される容器本体と、この容器本体に収容された飲料を飲むための飲み口部と、この飲み口を配置するためのベース部と、を有する飲料容器において、前記飲み口部のうち、使用者の唇が当接する部分は、比較的柔らかい部材で形成されている柔軟部で成ると共に、この飲み口部のうち飲料が搬送される部分は、比較的硬い部材である剛性部で形成され、前記飲み口部の前記柔軟部には、この飲み口部が、前記容器本体方向に抜け落ちるのを防止するための突起部が設けられ、前記穴部の下部には、前記柔軟部に沿うように穴部突起部が形成され、前記ベース部には、前記飲み口部を覆うための蓋部が設けられており、この蓋部に対して、この飲み口部の先端部が当接する構成と成っていることを特徴とする乳幼児用飲料容器により、達成される。
【０００６】
前記構成によれば、前記飲み口部のうち、使用者の唇が当接する部分は、比較的柔らかい部材で形成されている柔軟部で成ると共に、この飲み口部のうち飲料が搬送される部分は、比較的硬い部材である剛性部で形成されているので、前記柔軟部では、使用者が、例えば哺乳瓶等の乳首と同様に柔軟な感触を唇に感じることができると共に、前記剛性部では、使用者の口唇の動きによって、潰れることがない。
また、前記構成によれば、前記ベース部には、前記飲み口部を覆うための蓋部が設けられており、この蓋部に対して、この飲み口部の先端部が当接する構成と成っているので、飲料が飲み口部の先端部から漏れ出すことがない。
【０００７】
また、請求項２の発明では、請求項１の構成において、前記飲み口部には、前記容器本体内に収容されている飲料をこの飲み口部まで搬送するための搬送手段を接続するための接続部が設けられている乳幼児用飲料容器である。
【０００８】
前記構成によれば、前記飲み口部には、前記容器本体内に収容されている飲料をこの飲み口部まで搬送するための搬送手段を接続するための接続部が設けられているので、別体の搬送手段をこの飲み口部に接続することができる。
【０００９】
また、請求項３の発明では、請求項２の構成において、前記接続部が、前記飲み口部の前記剛性部に対して設けられている乳幼児用飲料容器である。
【００１０】
前記構成によれば、前記接続部が、前記飲み口部の前記剛性部に対して設けられているので、この剛性部に対して別体の搬送手段を接続することができる。
【００１１】
また、請求項４の発明によれば、請求項１乃至請求項３のいずれかの構成において、前記柔軟部の硬さがＪＩＳスプリング式で、０度乃至７０度未満であり、前記剛性部の硬さがＪＩＳスプリング式で、７０度乃至１００度である乳幼児用飲料容器である。
【００１２】
前記構成によれば、前記柔軟部の硬さがＪＩＳＫ６２５３加硫ゴム及び熱可塑性ゴムの硬さ試験方法におけるスプリング式（デュロメータ硬さ）で、０度乃至７０度未満であり、前記剛性部の硬さがＪＩＳＫ６２５３加硫ゴム及び熱可塑性ゴムの硬さ試験方法におけるスプリング式（デュロメータ硬さ）で、７０度乃至１００度であるので、前記剛性部は、前記柔軟部より硬く形成されることになる。
【００１３】
また、請求項５の発明によれば、請求項１乃至請求項４のいずれかの構成において、前記柔軟部がシリコン又はエラストマーより成り、前記剛性部がポリプロピレン又はポリエチレンにより成る乳幼児用飲料容器である。
【００１４】
前記構成によれば、前記柔軟部がシリコン又はエラストマーより成り、前記剛性部がポリプロピレン又はポリエチレンにより成るので、前記剛性部は、前記柔軟部より硬く形成されることになる。
【００１６】
また、請求項６の発明によれば、請求項１乃至請求項５のいずれかの構成において、前記飲み口部の前記柔軟部には、この飲み口部の前記ベース部からの突出量を規制する規制部が設けられている乳幼児用飲料容器である。
【００１７】
前記構成によれば、前記飲み口部の前記柔軟部には、この飲み口部の前記ベース部からの突出量を規制する規制部が設けられているので、飲み口部のベース部からの突出量を乳幼児に適切な長さにすることができる。
【００２０】
また、請求項７の発明によれば、請求項１乃至請求項６のいずれかの構成において、前記飲み口部の前記柔軟部の断面形状が、略楕円形である乳幼児用飲料容器である。
【００２１】
前記構成によれば、前記飲み口部の前記柔軟部の断面形状が、略楕円形であるので、使用者が口唇をより確実に閉じることができ、口角（口唇の両側）から飲料をこぼし難い。
【００２２】
また、請求項８の発明によれば、請求項１乃至請求項７のいずれかの構成において、前記柔軟部と前記剛性部とが、相互に分離可能に形成されている乳幼児用飲料容器である。
【００２３】
前記構成によれば、前記柔軟部と前記剛性部とが、相互に分離可能に形成されているので、必要に応じて、前記飲み口部から前記柔軟部を取り外すことができる。
【００２４】
また、請求項９の発明によれば、請求項８の構成において、前記柔軟部には、前記剛性部の位置決めをする位置決め部が設けられている乳幼児用飲料容器である。
【００２５】
前記構成によれば、前記柔軟部には、前記剛性部の位置決めをする位置決め部が設けられているので、一旦、分離した前記柔軟部と前記剛性部を一体化する際に、この剛性部と柔軟部の位置決めが容易となる。
【００２６】
また、請求項１０の発明によれば、請求項８の構成において、前記剛性部のみを前記ベース部に固定するための調整手段を有する乳幼児用飲料容器である。
【００２７】
前記構成によれば、前記剛性部を前記柔軟部と分離して、この剛性部のみを前記ベース部に固定することができる。
【００２８】
また、請求項１１の発明によれば、請求項１０の構成において、前記剛性部には、前記調整手段と当接することによって、この剛性部の前記ベース部からの突出量を規制するための規制部が設けられている乳幼児用飲料容器である。
【００２９】
前記構成によれば、前記剛性部には、前記調整手段と当接することによって、この剛性部の前記ベース部からの突出量を規制するための規制部が設けられているので、前記剛性部のベース部からの突出量を一定にすることができる。
【００３０】
また、請求項１２の発明によれば、請求項１１の構成において、前記ベース部には、前記剛性部を覆うための蓋部が設けられており、この蓋部に対して、この剛性部の先端部が当接する構成となっている乳幼児用飲料容器である。
【００３１】
前記構成によれば、前記ベース部には、前記剛性部を覆うための蓋部が設けられており、この蓋部に対して、この剛性部の先端部が当接する構成となっているので、飲料が剛性部の先端部から漏れ出すことがない。
【００３２】
また、請求項１３の発明によれば、請求項１の構成において、前記飲み口部のうち前記剛性部は、前記飲料容器内に収容された飲料を、この剛性部に搬送するための搬送手段と一体的に形成されている乳幼児用飲料容器である。
【００３３】
前記構成によれば、前記飲み口部のうち前記剛性部は、前記飲料容器内に収容された飲料を、この剛性部に搬送するための搬送手段と一体的に形成されているので、前記搬送手段を前記剛性部とすることができる。
【００３４】
また、請求項１４の発明によれば、請求項１３の構成において、前記剛性部と前記搬送手段が、１本のストローにより形成されている乳幼児用飲料容器である。
【００３５】
前記構成によれば、前記剛性部と前記搬送手段が、１本のストローにより形成されているので、このストローを前記剛性部とすることができる。
【００３８】
【発明の実施の形態】
以下、この発明の好適な実施例を図１乃至図９を参照しながら、詳細に説明する。
尚、以下に述べる実施例は、本発明の好適な具体例であるから、技術的に好ましい種々の限定が付されているが、本発明の範囲は、以下の説明において特に本発明を限定する旨の記載がない限り、これらの態様に限られるものではない。
【００３９】
（第１の実施の形態）
図１は、本発明の第１の実施の形態に係る飲料容器を示す概略図である。図１において、飲料容器１００は、飲料である例えばジュースが収容される容器本体である透明の樹脂製のカップ１１０を有している。このカップ１１０の側面には、使用者である乳幼児が手で把持するための樹脂製の取っ手１２０が設けられている。この取っ手１２０は、同じく樹脂製のリング状部材１２１により支持されており、このリング状部材１２１は、前記カップ１１０の上端部に嵌合されるようになっている。
このリング状部材１２１の上部には、樹脂製のベース部１３０が配置されている。このベース部１３０の図において下部には、カップ１１０とネジ嵌合するためのネジ溝が、その内側に設けられており、このベース部１３０をネジ嵌合させることによりリング状部材１２１も固定するようになっている。また、このベース部１３０の外周面には、使用者等が、このベース部１３０をカップ１１０に装着し易いように、指かかり部１３１が複数個、例えば８個設けられている。この指かかり部１３１は、ベース部１３０の下部の外周部に、その表面から突出するように設けられている。
また、このベース部１３０の指かかり部１３１の上部には、開閉可能な透明な樹脂製の蓋１３２と飲み口部１４０を配置するためのベース本体１３３が備えられている。
【００４０】
図２は、図１のベース部１３０の蓋１３２を開けた状態を示す斜視図である。図２においては、指かかり部１３１が省略されているベース部１３０のみが示されている。図２に示すように、ベース本体１３３には、略円形の案内部１３４が設けられている。この案内部１３４は、その外周に縁部１３４ａが形成されており、この縁部１３４ａの内周から案内部１３４の中心に向かって凹部１３４ｂが形成されている。
この凹部１３４ｂの直径Ａは、例えば３６ｍｍに形成されており、この凹部１３４ｂの凹面の曲率は、図３に示すように、使用者である例えば乳幼児の唇が閉じる際の、唇の先端の軌道を結んだ線であるＲ３６ｍｍ乃至Ｒ３８ｍｍに形成されている。
この凹部１３４ｂの中心には、飲み口部１４０が備えられている。この飲み口部１４０は、その外側に柔軟部１４０ｂが配置されており、その内側には貫通孔を有する剛性部１４０ａが配置されている。この柔軟部１４０ｂの断面形状は、図２に示すように、使用者の唇が閉じる方向に幅が狭くなる略楕円形で形成されている。
また、この柔軟部１４０ｂは、例えばＪＩＳＫ６２５３加硫ゴム及び熱可塑性ゴムの硬さ試験方法におけるスプリング式（デュロメータ硬さ）で硬度が０度乃至７０度未満であり、具体的には例えば４０度に形成されている。そして、材質は、例えばシリコン又はエラストマー等により形成されている。
【００４１】
この硬度は、ＪＩＳの硬度試験であるデュロメータ硬さ試験によって測定されるものである。すなわち、試験機には、試験片表面を加圧する加圧面が設けられており、この加圧面の中心には孔が設けられ、この孔からバネによって突き出されている押針が配置されている。
そして、この押針を試験片に押しつけ、押針が試験片により押し戻される距離（押し込み深さ）を硬さとして示す目盛りを読むことによって試験片の硬度を測るものである。
【００４２】
一方、このような柔軟部１４０ｂの内側に配置されている前記剛性部１４０ｂは、その断面形状が略円形に形成されている。そして、この剛性部１４０ｂの硬度は、例えばＪＩＳスプリング式で硬度が７０度乃至１００度であり、具体的には例えば７０度に形成されている。そして、材質は、例えばポリプロピレンやポリエチレン等で形成され、これらを射出成形又は押出成形して成るものである。
【００４３】
このように構成されている前記飲み口部１４０の断面を示したのが、図３である。図３に示すように、飲み口部１４０は、その内側に前記剛性部１４０ａが配置されており、その外側に柔軟部１４０ｂが配置されている。そして、これら剛性部１４０ａと柔軟部１４０ｂは、相互に分離可能に形成されている。また、この飲み口部１４０は、図３に示すように案内部１３４の凹部１３４ｂの中心で最も凹んでいる部分に形成されている穴部１３４ｃに差し込まれて配置されるようになっている。したがって、この穴部１３４ｃの開口部も飲み口部１４０と同様に、同じ大きさの略楕円形で形成されている。
そして、この飲み口部１４０の剛性部１４０ａには、図１に示す容器本体１１０内に収容される飲料である例えばジュースを飲み口部１４０まで搬送する搬送手段であるストロー１５０を接続するための接続部であるストロー接続部１４０ｃが設けられている。このストロー接続部１４０は、その内側にストロー１５０を挿入するためのストロー挿入孔１４０ｄが設けられ、このストロー挿入孔１４０ｄにストロー１５０を挿入することで、ストロー１５０と剛性部１４０ａとが接続されるようになっている。
この場合において、前記ストロー接続部１４０ｃの図において上下方向の長さ（Ｌ）が比較的長く、例えば１２ｍｍ程度に形成されているため、前記ストロー挿入孔１４０ｄにおいて、ストロー１５０と接触する面積が大きくなり、ストロー１５０が、より強固に接続されることになる。
また、この剛性部１４０ａのストロー接続部１４０ｃの図において上部には、柔軟部１４０ｂに当接し、この剛性部１４０ｃが、柔軟部１４０ａの上端部から抜けるのを防止するための抜け防止突起部１４０ｅが設けられている。
【００４４】
また、前記柔軟部１４０ｂの上端部にも、剛性部１４０ａの先端部が当接して、この剛性部１４０ａが、柔軟部１４０ｂの上端部から抜け出るのを防止するための位置決め部である剛性部位置決め部１４０ｆが設けられている。
この剛性部１４０ａにある抜け防止突起部１４０ｅと柔軟部１４０ｂにある剛性部位置決め部１４０ｆにより、柔軟部１４０ｂ内に挿入された剛性部１４０ａは、位置決めされると共に、柔軟部１４０ｂ先端部の孔から、剛性部１４０ａが抜け出るのを有効に防ぐことができるようになっている。
そして、前記柔軟部１４０ｂには、図示するように、柔軟部突起部１４０ｇが設けられている。この柔軟部突起部１４０ｇは、剛性部１４０ａの抜け防止突起部１４０ｅと、前記凹部１３４ｃの穴部１３４ｃの下部に設けられている穴部突起部１３４ｄとに挟まれるように配置されている。
そして、この柔軟部突起部１４０ｇは、案内部１３４の凹部１３４ｂからの柔軟部１４０ｂの突出量を規制すると共に、飲み口部１４０がふらつくのを防止するためのものである。この突出量としては、具体的には、１０ｍｍ乃至２７ｍｍ未満の長さだけ突出した状態で止まるようになっているため、乳幼児が吸引によって、液体を接収し易い。
また、前記穴部突起部１３４ｄは、案内部１３４の穴部１３４ｃにおいて、柔軟部１４０ｂに沿うように形成されているため、柔軟部１３４ｂとの接触面積が充分にとれ、飲み口部１４０のふらつきを、より効果的に防止することができることになると同時に穴部１３４ｃから液体が濡れることを防止する。
【００４５】
さらに、この柔軟部１４０ｂには、柔軟部１４０ｂがカップ１１０側へ抜け落ちるのを防止するための突起部であるストッパ１４０ｈが設けられている。
このように構成されている柔軟部１４０ｂの内径と剛性部１４０ａの外径は、略同一の寸法となっている。このため剛性部１４０ａを柔軟部１４０ｂ内に挿入した場合、硬い素材からなる剛性部１４０ａが、柔らかい素材からなる柔軟部１４０ｂを広げるようにして挿入することになる。
したがって、柔軟部１４０ｂの内径部分と剛性部１４０ａの外径部分との密着性が増し、その間に余分な空気を吸い込むことがないため、使用者である乳幼児が飲み口部１４０の柔軟部１４０ｂをくわえても、この柔軟部１４０ｂが剛性部１４０ａと分離するような、不快感を感じることがない。
【００４６】
ところで、図３に示すストロー１５０は、図１に示すカップ１１０内に収容されているジュースにその一端部が浸っている。したがって、乳幼児は、飲み口部１４０を吸引することで、カップ１１０内のジュースを、ストロー１５０を介して飲むことができるようになっている。
ところで、前記ベース部１３０の蓋１３２は、図１及び図２に示すように回転ヒンジ１６０により、ベース部１３０の案内部１３４を開放又は覆うようになっている。そして、この案内部１３４を覆う、蓋１３２のドーム部１３２ａは、案内部１３４を覆う場合、そのドーム部１３２ａの頂点と飲み口部１４０の先端が当接されるようになっている。このため、乳幼児等が飲料容器１００を携帯する場合、内部のジュース等が飲み口部１４０の剛性部１４０ａの先端部から溢れてしまうのを防ぐことができるようになっている。
また、このドーム部１３２ａは、透明の樹脂等により形成されているため、乳幼児等が、外側から中の飲み口部１４０を視認することができるようになっている。
【００４７】
図４は、図３における飲み口部１４０のうち柔軟部１４０ｂを外し、剛性部１４０ａのみを案内部１３４の中心の穴部１３４ｃから挿入した状態を示す図である。図４においては、図３と異なり柔軟部１４０ｂが存在しないため、案内部１３４の穴部１３４ｃの径の方が、剛性部１４０ａの外径より大きく、剛性部１４０を案内部１３４に固定することができなくなってしまう。
したがって、この剛性部１４０ａを案内部１３４に固定するため調整手段である調整具１６０が備えられている。
この調整具１６０は、上述の柔軟部１４０ｂと同様に柔らかい材質により形成され、その中心に孔を有している。そして、その外径は案内部１３４の穴部１３４ｃの径と略同一で、その内径は、前記剛性部１４０ａの外径と略同一に形成されている。したがって、この調整具１６０を案内部１３４の穴部１３４ｃに挿入すると、この調整具１６０が広がって、調整具１６０が穴部１３４ｃに、強固に装着されることになる。
また、この調整具１６０の孔に剛性部１４０ａを挿入すると、調整具１６０が広がるため、上述と同様に強固に固定されることになる。そして、この調整具１６０の外径は楕円形であり、内径は正円形となっている。
【００４８】
さらに、この調整具１６０には、上述の柔軟部１４０ｂの柔軟部突起部１４０ｇと同様の役割をする調整具突起部１６０ｇが備えられているため、この調整具突起部１６０ｇの下部に剛性部１４０ａの抜け防止突起部１４０ｅが当接し、剛性部１４０ａの上部方向への抜けを防止すると共に剛性部１４０ａの案内部１３４からの突出量を一定に規制する規制部の役割も果たすことになる。また、このこの調整具１６０は、案内部１３４の穴部突起部１３４ｄに沿うように装着されるため、剛性部１４０ａのふらつきを有効に防止することができると同時に穴部１３４ｃから液体が漏れることを防ぐようになっている。
また、この調整具１６０には、上述の柔軟部１４０ｂと同様の働きをする調整具ストッパ１６０ｈが設けられている。この調整具ストッパ１６０ｈにより、調整具１６０自体の下方向の抜けが有効に防止されると共に、間接的には、この調整具１６０と強固に装着されている剛性部１４０ａの下方向の抜けが有効に防止されることになる。
さらに、剛性部１４０ａの先端部は、調整具突起部１６０ｇの厚さを調整（剛性部位置決め部１４０ｆ分だけ押し込めるように）することにより、蓋１３２のドーム部１３２ａの頂点と当接するようになっている。このため、乳幼児等が飲料容器１００を携帯する場合、内部のジュース等が剛性部１４０ａの先端部から溢れてしまうのを防ぐことができるようになっている。
【００４９】
本実施の形態に係る飲料容器１００は、以上のように構成されているが、以下、その動作等を使用方法と共に説明する。
先ず、乳幼児等の保護者等が、図１に示す飲料容器１００のベース部１３０の指かかり部１３１の部分を把持して、ベース部１３０を回転させ、ベース部１３０をカップ１１０から取り外し、カップ１１０内に飲料である例えばジュースを必要量入れ、その後、ベース部１３０を再び、カップ１１０に装着することになる。
この状態で、保護者等は、乳幼児等に、この飲料容器１００を用いジュースを与えることになる。この乳幼児は今まで哺乳瓶の乳首でミルクを飲んでいた乳幼児又は母乳を飲んでいた乳幼児であって、乳首や母乳以外の飲み口で飲料を飲む練習をしようとする乳幼児である。
【００５０】
上述のように、飲料容器１００にジュースを入れた状態で、保護者は、先ず、蓋１３２のドーム部１３２ａを回転ヒンジ１６０を回転させながら開く状態にする。そして、大人と同じ飲み方をトレーニングする必要がある乳幼児等に、飲み口部１４０をくわえさせることになる。
このとき、乳幼児等は、今まで行ってた哺乳運動をしようとして、口を大きく開け、飲み口部１４０の先端部を、自己の哺乳窩（図５参照）に当接させようとすることになる。
しかし、ベース部１３０の案内部１３４の直径は、３６ｍｍと成っているため、この案内部１３４の外側に乳幼児等の唇は達することがなく、唇は案内部１３４の内側に接することになる。
この案内部１３４には、図３に示すように、凹部１３４ｂが形成され、その凹面の曲率は、Ｒ３６ｍｍ乃至Ｒ３８ｍｍとなっており、これは、乳幼児等の唇が閉じる際の先端の軌道と略同様となっている。このため、この案内部１３４に接した乳幼児等の唇は、自然と口をすぼめ吸引運動の口唇の形となる。
そして、その結果、乳幼児等は、哺乳運動とは異なる口をすぼめる動作を繰り返すことにより、トレーニングすることになる。
【００５１】
また、この乳幼児等がくわえた飲み口部１４０の外側には柔らかい材質からなる柔軟部１４０ｂが配置されているため、乳幼児の口唇が当接すると、その圧力で、柔軟部１４０ｂが変形することになる。この柔軟部１４０ｂの変形により、乳幼児の口腔内に密閉した空間を作り易くなり、口角からのジュース等の漏れを効果的に防ぎ、飲み口部１４０の吸引によるジュース摂取の練習を行うことが可能となる。
そして、この柔軟部１４０ｂは、乳首等と同等の柔らかさを有するため、乳幼児が飲み口部１４０をくわえた際に感じる違和感が軽減され、乳幼児が嫌がらずに飲み口部１４０でトレーニングをすることができる。
さらに、この飲み口部１４０は、柔軟部１４０ｂの内側に比較的硬い材質からなる剛性部１４０ａを有しているため、柔軟部１４０ｂが変形しても、内側の剛性部１４０ａは、変形しない。このため、この剛性部１４０ａと接続されているストロー１５０によってカップ１１０から搬送されたジュースは、剛性部１４０ａを通過して、乳幼児の口腔内に運ばれることになる。
このように、本実施の形態に係る飲料容器１００の飲み口部１４０は、乳幼児の口唇が触れる部分は、柔らかく形成され、ジュースが搬送される部分は硬く形成されるため、乳幼児の口唇の圧力により飲み口部１４０が潰れることなく、しかも、乳児が飲み口部１４０をくわえたときの違和感を軽減することができる。
また、飲み口部１４０を構成する柔軟部１４０ｂと剛性部１４０ａとの間に余分な空気を含んでいないため、飲み口部１４０をくわえた乳幼児に、柔軟部１４０ｂと剛性部１４０ａが分離するような違和感を感じさせることがなく、より効果的に乳幼児に対してトレーニングを行うことができる。
【００５２】
また、この飲み口部１４０の断面形状は、乳幼児等の唇が閉じる方向に幅が狭い略楕円形を成しているため、今まで唇を確実に閉じる動作を行っていなかった乳幼児等に対して、確実に唇を閉じる動作を促すと同時に、口角からもれずらくする役割を果たすものである。
さらに乳幼児等は、必要に応じて図１に示す取っ手１２０を持つ等してカップ１１０内のジュースを上述のように、吸引し飲み込む練習をすることになる。
このような練習が終わると、蓋１３２のドーム部１３２ａを閉状態にする。このとき、図３に示すようにドーム部１３２ａの頂上と飲み口部１４０の先端部が当接するため、保護者等が飲料容器１００を持ち歩いても、中のジュースが漏れ出すおそれがない。
【００５３】
さらに、乳幼児等の飲み口部１４０を用いた吸引によりジュース飲みが上達した場合は、飲料容器１００からこの飲み口部１４０を外して、案内部１３４の穴部１３４ｃに調整具１６０を装着する。そして、飲み口部１４０から柔軟部１４０ｂを外し、剛性部１４０ａのみを調整具１６０を介して案内部１３４に装着する。
このようにすることで、乳幼児は、その断面が正円に形成された剛性部１４０ａをくわえることで、大人と同じストロー飲みの練習を行うことが可能となる。
また、練習が終わると、上述と同様に、飲料容器１００の蓋１３２のドーム部１３２ａを閉状態にする。このとき、図４に示すようにドーム部１３２ａの頂上と剛性部１４０ａの先端部が当接するため、保護者等が飲料容器１００を持ち歩いても、中のジュースが漏れ出すおそれがない。
以上のように、本実施の形態によれば、乳幼児等に段階的にストロー飲みの練習を同一の飲料容器１００で行うことができる。
【００５４】
（第２の実施の形態）
図６及び図７は、第２の実施の形態に係る飲料容器２００の要部を示す断面図である。第２の実施の形態に係る飲料容器２００の構成は、上述の第１の実施の形態に係る飲料容器１００と略同様であるため、以下、相違点を中心に説明し、第１の実施の形態と同様の構成は、同一の符号を付す等して説明を省略する。
図６において、飲料容器２００は、第１の実施の形態と異なり、剛性部がストロー２５０と一体的に形成されている。このため、第１の実施の形態と異なり、剛性部にはストローを接続するためのストロー接続部１４０ｃが備えられていない。
したがって、本実施の形態では、飲料であるジュースにその一端が浸っているストロー２５０をそのまま剛性部として用いることができる飲み口部２４０を有する飲料容器である。
【００５５】
（参考例）
図８は、参考例に係る飲料容器３００の要部を示す概略断面図である。図８において、飲料容器３００は、飲料である例えばジュースが収容される容器本体３１０と、開閉可能に形成されている蓋部３２０とを有している。また、この容器本体３１０内に収容されたジュースを搬送するためのストローが容器本体３１０の上部に設けられたベース部３３０に接続されている。このベース部３３０は、屈曲部材であるチューブ３６０を介して飲み口３４０が設けられている。この飲み口３４０は、第１の実施の形態と同様で、その外側に比較的柔らかい部材で形成されている柔軟部３４０ｂが配置され、この柔軟部３４０ｂの内側には、比較的硬い部材で形成されている剛性部３４０ａが配置されている。しかし、本実施の形態は、第１の実施の形態と異なり、飲み口３４０には、チューブ３６０が設けられ、このチューブ３６０を介してベース部３３０、そしてストロー３５０と接続されている。また、前記蓋部３２０と飲み口３４０は、回動部材３７０と連結されている。したがって、使用者が蓋部３２０を操作して、図９に示すように閉状態にしようとすると、この回動部材３７０も回動中心３７０ａを中心に図において左回りを始めることになる。
【００５６】
この回動部材３７０は、飲み口３４０と係合部３６０ｂで係合されているため、飲み口３４０は、図９に示すように容器本体３１０内に引き込まれることになる。このとき、飲み口３４０に接続されているチューブ３６０は、折り曲がるため、飲み口３４０は、容器本体３１０内に収容され、図９に示すように、蓋部３２０に覆われ、格納されることになる。
逆に、蓋部３２０を開状態にするときは、上述と逆の動きをして、飲み口３４０は、飲料容器３００から突出した状態、すなわち図８に示す状態となる。
このように使用者が蓋部３２０の開閉を行うだけで、飲み口３４０が連動して突出又は格納する構造において、柔軟部３４０ｂと剛性部３４０ａを有する飲み口３４０を使用することで、違和感を与えない飲み口３４０を簡単な操作で乳幼児に与えることができる。
【００５７】
【発明の効果】
以上述べたように、本発明によれば、使用者が心地良く、くわえることができると共に使用者の口唇によって潰れることがない飲み口部を有する乳幼児用飲料容器を提供することができる。
【図面の簡単な説明】
【図１】  本発明の第１の実施の形態に係る飲料容器を示す概略図である。
【図２】  図１のベース部の蓋を開けた状態を示す概略斜視図である。
【図３】  図２の飲み口部の断面を示した概略断面図である。
【図４】  図３の飲み口部から柔軟部を外した状態を示す概略断面図である。
【図５】  乳幼児等の上顎である硬口蓋方向を下から見た概略図である。
【図６】  第２の実施の形態に係る飲み口部等の断面を示した概略断面図である。
【図７】  図６の飲み口部から柔軟部を外した状態を示す概略断面図である。
【図８】  変形例に係る飲料容器の要部を示す概略断面図である。
【図９】  変形例に係る飲料容器の要部を示す概略断面図である。
【図１０】  従来の飲料容器を示す概略図である。
【符号の説明】
１００、２００、３００・・・飲料容器
１１０・・・カップ
１２０・・・取っ手
１２１・・・リング状部材
１３０・・・ベース部
１３１・・・指かかり部
１３２・・・蓋
１３２ａ・・・ドーム部
１３３・・・ベース本体
１３４・・・案内部
１３４ａ・・・縁部
１３４ｂ・・・凹部
１３４ｃ・・・穴部
１３４ｄ・・・穴部突起部
１４０、２４０・・・飲み口部
１４０ａ、３４０ａ・・・剛性部
１４０ｂ、３４０ｂ・・・柔軟部
１４０ｃ・・・ストロー接続部
１４０ｄ・・・ストロー挿入孔
１４０ｅ・・・抜け防止突起部
１４０ｆ・・・剛性部位置決め部
１４０ｇ・・・柔軟部突起部
１４０ｈ・・・ストッパ
１５０、２５０、３５０・・・ストロー
１６０・・・調整具
１６０ｇ・・・調整具突起部
１６０ｈ・・・調整部ストッパ
３１０・・・容器本体
３２０・・・蓋部
３３０・・・ベース部
３６０・・・チューブ
３７０・・・回動部材
【図１】
0004230072.tif 000002
【図２】
0004230072.tif 000003
【図３】
0004230072.tif 000004
【図４】
0004230072.tif 000005
【図５】
0004230072.tif 000006
【図６】
0004230072.tif 000007
【図７】
0004230072.tif 000008
【図８】
0004230072.tif 000009
【図９】
0004230072.tif 000010
【図１０】
0004230072.tif 000011